(57)【要約】      （修正有）【課題】薄くて、通気性及び肌触りが良く、強い保持力を発揮することができ、且つ衣類等への加工が容易な伸縮性経編地を提供する。【解決手段】非伸縮性の編糸から編成されるハーフ編の編組織１１及び編組織１２と、伸縮性の芯糸から編成されるデンビ編の編組織１３と、を組み合わせて編成される主編地１０を有する。これにより、伸縮性経編地は、通気性及び肌触りに優れ、薄くて軽い。また、ハーフ編の一方の編組織１１と、デンビ編の編組織１３と、伸縮性の芯糸から編成されるサテン編の編組織と、を組み合わせて編成される強化編地が主編地１０と一体に編成されることにより、強い保持力を発揮することができる。また、ヘムが編成されることにより、衣類への加工を容易にすることができる。【選択図】図３
0003200361.tif 000002
【実用新案登録請求の範囲】
【請求項１】
非伸縮性の編糸から編成されるハーフ編の編組織と、伸縮性の芯糸から編成されるデンビ編の編組織と、を組み合わせて編成される主編地を有することを特徴とする伸縮性経編地。
【請求項２】
前記主編地から連続して一体的に編成される強化編地を有し、
前記強化編地は、非伸縮性の編糸から編成され前記ハーフ編の編組織を構成する対の編組織のうちの一方の編組織と同一の編組織がフルセットで編成される編組織と、伸縮性の芯糸から編成されるデンビ編の編組織と、伸縮性の芯糸から編成されるサテン編の編組織と、を組み合わせて編成されることを特徴とする請求項１に記載の伸縮性経編地。
【請求項３】
抜糸を挿入して編成された後に前記抜糸を除去して形成されるヘムを有することを特徴とする請求項１または請求項２に記載の伸縮性経編地。
【請求項４】
前記強化編地は、複数列縞状に編成されることを特徴とする請求項２または請求項３に記載の伸縮性経編地。
【考案の詳細な説明】
【技術分野】
【０００１】
本考案は、スポーツ用の衣類や下着等に用いられる伸縮性経編地に関する。
【背景技術】
【０００２】
従来、衣類等に用いられる伸縮性経編地が知られている。例えば、特許文献１には、短繊維の紡績糸と合成繊維糸と弾性糸とによる６コースサテンネット（サテン編）の伸縮性経編地が開示されている。また、同文献には、６コースサテンネットと同じ３種類の糸を用いる６コースパワーネット（パワー編）の伸縮性経編地が開示されている。
【先行技術文献】
【特許文献】
【０００３】
【特許文献１】特開２００３−５５８６８号公報（第２−５頁、第３図）
【考案の概要】
【考案が解決しようとする課題】
【０００４】
しかしながら、上記した従来技術のようなサテン編の編地は、編目が細かく編地が厚く編成されるため、空気を通しにくく重いという問題点があった。
他方、パワー編の編地は、編目が大きく編成されるため、触れた際にざらつきを感じ、また、編地の裏面に伸縮性の挿入糸が出てしまうため、肌触りが良くなかった。
【０００５】
また、従来、衣類の裾部等に、ずり上がり等を防止するため、締め付け力の強い編地を縫着することがあった。しかしながら、異なる編地を縫着することは、加工を複雑にし、形成される縫い目が意匠面に表れるという問題点があった。また、縫い目等が肌に当たることにより、着用者に違和感を与えていた。
【０００６】
本考案は、上記の事情に鑑みてなされたものであり、その目的とするところは、薄くて、通気性及び肌触りが良く、強い保持力を発揮することができ、且つ衣類等への加工が容易な伸縮性経編地を提供することにある。
【課題を解決するための手段】
【０００７】
本考案の伸縮性経編地は、非伸縮性の編糸から編成されるハーフ編の編組織と、伸縮性の芯糸から編成されるデンビ編の編組織と、を組み合わせて編成される主編地を有することを特徴とする。
【考案の効果】
【０００８】
本考案の伸縮性経編地によれば、非伸縮性の編糸から編成されるハーフ編の編組織と、伸縮性の芯糸から編成されるデンビ編の編組織と、を組み合わせて編成される主編地を有する。これにより、通気性及び肌触りに優れ、薄くて軽い伸縮性経編地を編成することができる。
【０００９】
具体的には、主編地は、ハーフ編の編組織によりメッシュ状に編成される。これにより、主編地の編目から空気を通すことができるので、通気性を高めることができる。また、主編地に組み合わされるデンビ編の編組織を構成する伸縮性の芯糸は、編目の中を通り且つ閉じ目を形成している。これにより、編地の裏面への芯糸の飛び出しを抑え、肌触りを良くすることができる。
【００１０】
また、本考案の伸縮性経編地は、主編地を編成する芯糸及び編糸として、比較的細い糸を用いることができる。これにより、薄くて軽く、通気性の良い編地を編成することができる。
【００１１】
また、本考案の伸縮性経編地は、主編地から連続して一体的に編成される強化編地を有する。強化編地は、非伸縮性の編糸から編成されハーフ編の編組織を構成する対の編組織のうちの一方の編組織と同一の編組織がフルセットで編成される編組織と、伸縮性の芯糸から編成されるデンビ編の編組織と、伸縮性の芯糸から編成されるサテン編の編組織と、を組み合わせて編成されても良い。これにより、伸縮性経編地の一部に主編地よりも保持力の強い編地を編成することができるため、衣類の裾部等のずり上がり等を防止することができる。また、異なる編地を縫着する必要が無いため、衣類等への加工が容易である。また、不要な縫い目が形成されないため、着用時の違和感を減らすと共に、意匠性を高めることができる。
【００１２】
また、本考案の伸縮性経編地は、抜糸を挿入して編成された後に抜糸を除去して形成されるヘムを有しても良い。これにより、衣類の裾部等のほつれを防止することができ、縫製仕上げ加工等を減らすことができる。また、折り返しや縫い目を減らすことができるので、着用した際の肌触りを良くすることができると共に、意匠性が向上する。
【００１３】
また、本考案の伸縮性経編地の強化編地は、複数列縞状に編成されても良い。これにより、衣類の裾部等に適度な締め付け力を保持しつつ、多彩な意匠的表現が可能となる。
【図面の簡単な説明】
【００１４】
【図１】本考案の実施形態に係る伸縮性経編地の平面図である。
【図２】本考案の実施形態に係る伸縮性経編地の主編地の編組織分解図である。
【図３】本考案の実施形態に係る伸縮性経編地の主編地の組織図である。
【図４】本考案の実施形態に係る伸縮性経編地の強化編地の編組織分解図である。
【図５】本考案の実施形態に係る伸縮性経編地の強化編地の組織図である。
【図６】本考案の実施形態に係る伸縮性経編地のヘム近傍の組織分解図である。
【図７】本考案の実施形態に係る伸縮性経編地のヘム近傍の組織図である。
【考案を実施するための形態】
【００１５】
以下、本考案の実施形態に係る伸縮性経編地を図面に基づき詳細に説明する。伸縮性経編地１は、例えば、一般補正用衣類、スポーツ用衣類、就寝時補正用ガードルやブラジャー等に用いられる。
【００１６】
図１は、本考案の実施形態に係る伸縮性経編地１の平面図である。図１に示すように、伸縮性経編地１は、主編地１０と、主編地１０よりも保持力の強い強化編地２０と、伸縮性経編地１の耳部（縁部）に編成されるヘム４０と、を有し、主編地１０と強化編地２０とヘム４０とが一体に編成される。
【００１７】
図２は、伸縮性経編地１の主編地１０の編組織分解図である。なお、図２ないし図７は、編糸及び芯糸が下方から上方向に編み込まれる際にどのような編み方をされるかを示している。また、図２ないし図７において、点Ｈは、経編地を編成する際に針が通る場所を示している。
【００１８】
図２に示すように、主編地１０は、非伸縮性の編糸から編成されるハーフ編の一方の編組織１１と、ハーフ編の他方の編組織１２と、伸縮性の芯糸から編成されるデンビ編の編組織１３と、を有する。
【００１９】
ハーフ編の一方の編組織１１を編成する編糸は、針間Ａ２を通り、針間Ａ１と針間Ａ２の間の針、即ち右側の針に対して閉じ目を形成する（針列Ｙ１）。次に、編糸は、針間Ａ２を通り、針間Ａ２と針間Ａ３の間の針、即ち左側の針に対して閉じ目を形成する（針列Ｙ２）。
【００２０】
次に、編糸は、針間Ａ２を通り、針間Ａ１と針間Ａ２の間の針、即ち右側の針に対して閉じ目を形成する（針列Ｙ３）。次に、編糸は、針間Ａ３を通り、針間Ａ３と針間Ａ４の間の針、即ち左側の針に対して閉じ目を形成する（針列Ｙ４）。
【００２１】
次に、編糸は、針間Ａ３を通り、針間Ａ２と針間Ａ３の間の針、即ち右側の針に対して閉じ目を形成する（針列Ｙ５）。次に、編糸は、針間Ａ３を通り、針間Ａ３と針間Ａ４の間の針、即ち左側の針に対して閉じ目を形成する（針列Ｙ６）。そして、針列Ｙ１から針列Ｙ６を繰り返しの単位として、編組織１１が編成される。
【００２２】
ハーフ編の他方の編組織１２を編成する編糸は、針間Ｂ３を通り、針間Ｂ３と針間Ｂ４の間の針、即ち左側の針に対して閉じ目を形成する（針列Ｙ１）。次に、編糸は、針間Ｂ３を通り、針間Ｂ２と針間Ｂ３の間の針、即ち右側の針に対して閉じ目を形成する（針列Ｙ２）。
【００２３】
次に、編糸は、針間Ｂ３を通り、針間Ｂ３と針間Ｂ４の間の針、即ち左側の針に対して閉じ目を形成する（針列Ｙ３）。次に、編糸は、針間Ｂ２を通り、針間Ｂ１と針間Ｂ２の間の針、即ち右側の針に対して閉じ目を形成する（針列Ｙ４）。
【００２４】
次に、編糸は、針間Ｂ２を通り、針間Ｂ２と針間Ｂ３の間の針、即ち左側の針に対して閉じ目を形成する（針列Ｙ５）。次に、編糸は、針間Ｂ２を通り、針間Ｂ１と針間Ｂ２の間の針、即ち右側の針に対して閉じ目を形成する（針列Ｙ６）。そして、針列Ｙ１から針列Ｙ６までを繰り返しの単位として、編組織１２が編成される。編組織１１及び編組織１２は、図２において、左右対称に編成される。
【００２５】
デンビ編の編組織１３を編成する芯糸は、針間Ｃ２を通り、針間Ｃ１と針間Ｃ２の間の針、即ち右側の針に対して閉じ目を形成する（針列Ｙ１）。次に芯糸は、針間Ｃ２を通り、針間Ｃ２と針間Ｃ３の間の針、即ち左側の針に対して閉じ目を形成する（針列Ｙ２）。そして、針列Ｙ１から針列Ｙ２までを繰り返しの単位として、編組織１３が編成される。
【００２６】
図３は、伸縮性経編地１の主編地１０の組織図である。図３に示すように、主編地１０は、ハーフ編の編組織１１及び編組織１２を主とする経編地である。ハーフ編の編組織１１及び編組織１２は、１コースに置きに編糸が通される。即ち、編組織１１の編糸は、編組織１１を編むための図示しない筬の１コース置きのガイドにセットされ（ハーフセット）、編組織１２の編糸は、編組織１２を編むための図示しない筬の１コース置きのガイドにセットされる（ハーフセット）。
【００２７】
また、編組織１１及び編組織１２は、夫々の編糸が互いに交差するように編み込まれる。このように、ハーフ編の編組織１１及び編組織１２によって、主編地１０は、比較的大きな編目を有するメッシュ状に編成される。これにより、主編地１０は、大きな編目に空気を通すことができ、通気性の良い編地となる。
【００２８】
デンビ編の編組織１３では、左右方向において、全ての針間に芯糸が通される。即ち、編組織１３の芯糸は、編組織１３を編むための図示しない筬の全コースのガイドに挿通される（フルセット）。
【００２９】
編組織１３の芯糸は、編組織１１及び編組織１２によって編成される編目の中を通り、且つ閉じ目を形成している。即ち、主編地１０は、主編地１０の中に伸縮性の芯糸が編み込まれている。これにより、主編地１０から伸縮性の芯糸が飛び出すことを抑え、着用した際の肌触りを良くすることができる。
【００３０】
主編地１０を編成する編糸及び芯糸は、例えば、ポリエステル等から形成され、太さがおよそ３３ｄｔｅｘから７６ｄｔｅｘの比較的細い糸である。細い糸によって主編地１０が編成されるため、主編地１０を薄くて軽くすることができ、また、通気性を高めることができる。そのため、着用した際にソフトな肌触りを得ることができる。
【００３１】
図４は、伸縮性経編地１の強化編地２０の編組織分解図である。図４に示すように、強化編地２０は、非伸縮性の編糸から編成される編組織１１と、伸縮性の芯糸から編成される編組織１３と、伸縮性の芯糸から編成されるサテン編の編組織２４と、を有する。
【００３２】
編組織１１及び編組織１３は、図２を参照して既に説明した主編地１０の編組織と同じである。即ち、編組織１１は、主編地１０のハーフ編の編組織を構成する対の編組織１１及び編組織１２のうち一方の編組織１１と同じであり、また、編組織１３は、主編地１０のデンビ編の編組織１３と同じである。
【００３３】
サテン編の編組織２４を編成する芯糸は、針間Ｄ２を通り（針列Ｙ１）、針間Ｄ３を通る（針列Ｙ２）。次に、芯糸は、針間Ｄ１を通り（針列Ｙ３）、針間Ｄ３を通る（針列Ｙ４）。次に、芯糸は、針間Ｄ２を通り（針列Ｙ５）、針間Ｄ４を通る（針列Ｙ６）。そして、針列Ｙ１から針列Ｙ６を繰り返しの単位として、編組織２４が編成される。
【００３４】
図５は、伸縮性経編地１の強化編地２０の組織図である。図５に示すように、強化編地２０において、編組織１１では、全てのコースに編糸が通される。即ち、編組織１１を編成する編糸は、編組織１１を編むための図示しない筬の全てのコースのガイドに挿通される（フルセット）。
【００３５】
また、強化編地２０において、編組織１３及び編組織２４では、全てのコースに芯糸が通される。即ち、編組織１３を編成する芯糸は、編組織１３を編成するための図示しない筬の全てのコースのガイドに挿通される（フルセット）。
【００３６】
強化編地２０は、ハーフ編の一方の編組織１１がフルセットで編み込まれるため、表面が無地に編成される。これにより、強化編地２０の肌触り及び風合を良くすることができる。なお、編組織１１の編糸及び編組織１３の芯糸は、主編地１０と同じ糸が用いられる。
【００３７】
また、強化編地２０において、編組織２４では、全てのコースに芯糸が通される。即ち、編組織２４を編成する芯糸は、編組織２４を編成するための図示しない筬の全てのコースのガイドに挿通される（フルセット）。
【００３８】
また、編組織２４に用いられる芯糸は、例えば、ポリエステル等から形成され、太さがおよそ１５６ｄｔｅｘの伸縮性の糸である。即ち、編組織２４に用いられる芯糸は、主編地１０に用いられる編糸及び芯糸よりも太い。
【００３９】
強化編地２０には、サテン編の編組織２４を編成する伸縮性の芯糸が編み込まれるため、強化編地２０の伸縮性を高めることができる。そのため、強化編地２０は、主編地１０よりも強い保持力を有する。
【００４０】
また、図１に示すように、強化編地２０が主編地１０と一体に編成されることにより、伸縮性経編地１の一部に主編地１０よりも保持力の強い部分を設けることができる。そのため、強化編地２０によって、衣類の裾部等のずり上がり等を防止することができる。
【００４１】
また、主編地１０と強化編地２０とが一体に編成されるため、保持力の強い他の編地を別途縫着する必要が無い。これにより、衣類等への加工を容易にすることができる。また、不要な縫い目が形成されないため、縫い目が肌に当たる等の着用時の違和感を減らし、且つ意匠性を高めることができる。
【００４２】
また、主編地１０及び強化編地２０は、風合が異なる。そのため、主編地１０と強化編地２０とを交互に編成することによって、伸縮性経編地１の耳部近傍を縦縞状に編成することができる。これにより、多彩な意匠的表現を行うことができる。
【００４３】
例えば、図１に示すように、強化編地２０の縦縞を３本形成し、ヘム４０側から、（図１において左側から）強化編地２０の幅（図１において左右方向の長さ）が夫々約２５ｍｍ、約３ｍｍ、約３ｍｍと編成しても良い。
【００４４】
これにより、衣類の裾部等に適度な締め付け力を保持しつつ、意匠性を高めることができる。なお、強化編地２０の幅及び縦縞の本数は、これに限定されるものではなく、種々の変更が可能である。
【００４５】
図６は、伸縮性経編地１のヘム４０（図１参照）近傍の組織分解図である。特に、強化編地２０（図１参照）とヘム４０とが一体に編成される場合を示す。図６に示すように、伸縮性経編地１のヘム４０近傍は、ハーフ編の一方の編組織１１、ハーフ編の他方の編組織１２、デンビ編の編組織１３、サテン編の編組織２４及び伸縮性の芯糸から編成される鎖編の編組織４５により編成される。
なお、編組織１１、編組織１２、編組織１３及び編組織２４は、図３及び図５を参照して既に説明した主編地１０及び強化編地２０の編組織と同一である。
【００４６】
鎖編の編組織４５を編成する芯糸は、針間Ｅ２を通り、針間Ｅ１と針間Ｅ２の間の針、即ち右側の針に対して開き目を形成する（針列Ｙ１）。次に、芯糸は、針間Ｅ１を通り、針間Ｅ１と針間Ｅ２の間の針、即ち左側の針に対して開き目を形成する（針列Ｙ２）。そして、針列Ｙ１から針列Ｙ２を繰り返しの単位として、編組織４５が編成される。
【００４７】
図７は、伸縮性経編地１のヘム４０ａ及びヘム４０ｂ近傍の組織図である。図７に示すように、強化編地２０ａと、ヘム４０ａと、抜糸５５と、ヘム４０ｂと、強化編地２０ｂと、が左右方向において夫々接続され、一体に編成されている。
【００４８】
抜糸５５は、編組織４５によって編成される。抜糸５５には、図７において左右両側に、ヘム４０ａ及びヘム４０ｂが夫々一体に編成される。抜糸５５には、編組織２４による伸縮性の芯糸のみが交差している。これにより、伸縮性経編地１から抜糸５５を容易に引き抜くことができる。抜糸５５を引き抜くことにより、伸縮性経編地１は、ヘム４０ａを有する伸縮性経編地１ａと、ヘム４０ｂを有する伸縮性経編地１ｂと、に分割される。
【００４９】
伸縮性経編地１は、抜糸５５を引き抜くことによって分割されるため、衣類等への加工の際に、はさみ等による裁断を必要としない。そのため、伸縮性経編地１の編糸及び芯糸が切断されることによる衣類の裾部等のほつれを防止することができる。
【００５０】
ヘム４０ａ及びヘム４０ｂは、ハーフ編の一方の編組織１１と、ハーフ編の他方の編組織１２と、デンビ編の編組織１３と、サテン編の編組織２４と、鎖編の編組織４５と、によって夫々編成される。
【００５１】
ヘム４０が編成されることにより、伸縮性経編地１の耳部のよれを防ぐことができる。また、伸縮性経編地１の耳部を綺麗に整えることができるので、縫製仕上げ加工等を減らすことができる。また、衣類の裾部等の折り返しや縫い目を減らすことができるので、着用した際の肌触りを良くすることができると共に、意匠性が向上する。
【００５２】
また、伸縮性経編地１は、ヘム４０と強化編地２０の境目近傍において、編組織２４が１コース若しくは２コース分無い状態で編成されても良い。これにより、夫々の境目近傍を綺麗に仕上げることができる。また、編組織２４の抜糸５５と交差する芯糸は、夫々１コースに２本ずつ挿通されても良い。これにより、ヘム４０の強度を高めることができる。
【００５３】
なお、本実施形態のヘム４０は、強化編地２０に連続して編成されるが、ヘム４０は、主編地１０に連続するように編成されても良い。これによっても、衣類の裾部等のほつれ等を防止することができる。
【００５４】
本考案は、上記実施形態に限定されるものではなく、その他、本考案の要旨を逸脱しない範囲で、種々の変更実施が可能である。
【符号の説明】
【００５５】
１      伸縮性経編地
１０    主編地
１１    編組織（ハーフ編）
１２    編組織（ハーフ編）
１３    編組織（デンビ編）
２０    強化編地
２４    編組織（サテン編）
４０    ヘム
４５    編組織（鎖編）
５５    抜糸
【図１】
0003200361.tif 000003
【図２】
0003200361.tif 000004
【図３】
0003200361.tif 000005
【図４】
0003200361.tif 000006
【図５】
0003200361.tif 000007
【図６】
0003200361.tif 000008
【図７】
0003200361.tif 000009